(57)【要約】【課題】  使用者に対する違和感を排除し、電界表示及び品質劣化によるアラームを、互いの機能を損なうことなく実現可能な携帯電話機を提供する。【解決手段】  ＣＰＵ部１３は電界レベル表示処理を開始すると、電界品質検出部１４にて周期的に電界レベルの測定を実施する。ＣＰＵ部１３は通信品質劣化検出処理にて設定される変数Ｑ＿ＡＬＭの値を判定し、Ｑ＿ＡＬＭ＝ＯＮすなわち品質劣化警報中であれば、電界レベル表示１の処理を実施する。ＣＰＵ部１３はＱ＿ＡＬＭ＝ＯＦＦと判定した場合、変数Ｌｅｖｅｌと電界強度判定閾値Ｌth1  との比較処理、変数Ｌｅｖｅｌと電界強度判定閾値Ｌth2  との比較処理をそれぞれ実施する。ＣＰＵ部１３はその比較結果を基に表示部１６への電界レベル表示１の処理、電界レベル表示３の処理、電界レベル表示２の処理をそれぞれ実施する。【選択図】      図１                                                  
2005086586.tif 000002
【特許請求の範囲】
【請求項１】
通信品質の劣化を検出する通信品質劣化検出処理と、測定された電界レベルを表示する電界レベル表示処理とを行う携帯電話機であって、
前記電界レベル表示処理を行う前に前記通信品質劣化検出処理にて設定される変数の値を判定する判定手段と、その判定結果が品質劣化警報中の時に予め設定された電界レベルを表示する手段とを有することを特徴とする携帯電話機。
【請求項２】
受信データを基に少なくともＲＳＳＩ（Ｒｅｃｅｉｖｅｄ  Ｓｉｇｎａｌ  Ｓｔｒｅｎｇｔｈ  Ｉｎｄｉｃａｔｏｒ）及びＲＳＣＰ（Ｒｅｃｅｉｖｅｄ  Ｓｉｇｎａｌ  Ｃｏｄｅ  Ｐｏｗｅｒ）のいずれかを用いて受信電界のレベル測定を行う手段を含むことを特徴とする請求項１記載の携帯電話機。
【請求項３】
通信中の回線の劣化を検出する手段と、電界強度表示を行うための電界品質を検出する手段とを含むことを特徴とする請求項１記載の携帯電話機。
【請求項４】
前記電界レベル表示処理にて最高の電界表示が行われる時に通信品質劣化警告を行わないよう制御することを特徴とする請求項１から請求項３のいずれか記載の携帯電話機。
【請求項５】
前記通信品質劣化検出処理は、通信中の時に少なくともＣＲＣ（Ｃｙｃｌｉｃ  Ｒｅｄｕｎｄａｎｃｙ  Ｃｈｅｃｋ）チェック（Ｃｈｅｃｋ）を用いて得た受信データの誤りチェック結果を基に前記通信品質の劣化を検出することを特徴とする請求項１から請求項４のいずれか記載の携帯電話機。
【請求項６】
前記通信品質劣化検出処理は、非通信中の時にページングチャネルの前記通信品質の劣化を検出することを特徴とする請求項１から請求項４のいずれか記載の携帯電話機。
【請求項７】
予め設定された所定間隔で前記通信品質劣化検出処理を常時行うことを特徴とする請求項１から請求項６のいずれか記載の携帯電話機。
【請求項８】
自機の移動が検出された時に前記通信品質劣化検出処理の実行間隔を広げることを特徴とする請求項１から請求項７のいずれか記載の携帯電話機。
【請求項９】
前記通信品質劣化検出処理で前記通信品質の劣化が検出された時の警報を当該警報の停止処理の実行時に停止することを特徴とする請求項１から請求項８のいずれか記載の携帯電話機。
【請求項１０】
前記通信品質劣化検出処理で前記通信品質の劣化が検出された時の警報を当該警報の停止処理の実行後に前記電界表示のランクが上がった時に停止することを特徴とする請求項１から請求項８のいずれか記載の携帯電話機。
【請求項１１】
通信品質の劣化を検出する通信品質劣化検出処理と、測定された電界レベルを表示する電界レベル表示処理とを行う携帯電話機の電界表示方法であって、前記携帯電話機側に、前記電界レベル表示処理を行う前に前記通信品質劣化検出処理にて設定される変数の値を判定するステップと、その判定結果が品質劣化警報中の時に予め設定された電界レベルを表示するステップとを有することを特徴とする電界表示方法。
【請求項１２】
受信データを基に少なくともＲＳＳＩ（Ｒｅｃｅｉｖｅｄ  Ｓｉｇｎａｌ  Ｓｔｒｅｎｇｔｈ  Ｉｎｄｉｃａｔｏｒ）及びＲＳＣＰ（Ｒｅｃｅｉｖｅｄ  Ｓｉｇｎａｌ  Ｃｏｄｅ  Ｐｏｗｅｒ）のいずれかを用いて受信電界のレベル測定を行うことを特徴とする請求項１１記載の電界表示方法。
【請求項１３】
通信中の回線の劣化を検出し、電界強度表示を行うための電界品質を検出することを特徴とする請求項１２記載の電界表示方法。
【請求項１４】
前記電界レベル表示処理にて最高の電界表示が行われる時に通信品質劣化警告を行わないよう制御することを特徴とする請求項１１から請求項１３のいずれか記載の電界表示方法。
【請求項１５】
前記通信品質劣化検出処理は、少なくともＣＲＣ（Ｃｙｃｌｉｃ  Ｒｅｄｕｎｄａｎｃｙ  Ｃｈｅｃｋ）チェック（Ｃｈｅｃｋ）を用いて得た受信データの誤りチェック結果を基に前記通信品質の劣化を検出することを特徴とする請求項１１から請求項１４のいずれか記載の電界表示方法。
【請求項１６】
前記通信品質劣化検出処理は、非通信中の時にページングチャネルの前記通信品質の劣化を検出することを特徴とする請求項１１から請求項１４のいずれか記載の電界表示方法。
【請求項１７】
予め設定された所定間隔で前記通信品質劣化検出処理を常時行うことを特徴とする請求項１１から請求項１６のいずれか記載の電界表示方法。
【請求項１８】
自機の移動が検出された時に前記通信品質劣化検出処理の実行間隔を広げることを特徴とする請求項１１から請求項１７のいずれか記載の電界表示方法。
【請求項１９】
前記通信品質劣化検出処理で前記通信品質の劣化が検出された時の警報を当該警報の停止処理の実行時に停止することを特徴とする請求項１１から請求項１８のいずれか記載の電界表示方法。
【請求項２０】
前記通信品質劣化検出処理で前記通信品質の劣化が検出された時の警報を当該警報の停止処理の実行後に前記電界表示のランクが上がった時に停止することを特徴とする請求項１１から請求項１８のいずれか記載の電界表示方法。
【請求項２１】
通信品質の劣化を検出する通信品質劣化検出処理と、測定された電界レベルを表示する電界レベル表示処理とを行う携帯電話機の電界表示方法のプログラムであって、コンピュータに、前記携帯電話機側に、前記電界レベル表示処理を行う前に前記通信品質劣化検出処理にて設定される変数の値を判定する処理と、その判定結果が品質劣化警報中の時に予め設定された電界レベルを表示する処理とを実行させるためのプログラム。
【発明の詳細な説明】
【技術分野】
【０００１】
本発明は携帯電話機及びそれに用いる電界表示方法並びにそのプログラム
に関し、特に携帯電話機におけるアンテナバー表示等の電界表示方法に関する。
【背景技術】
【０００２】
一般に、携帯電話機の使用者は、ＬＣＤ（Ｌｉｑｕｉｄ  Ｃｒｙｓｔａｌ  Ｄｉｓｐｌａｙ）画面等におけるアンテナバー表示等の電界表示レベルが唯一の電界状態の判定手段であり、電界表示レベルが低い（電界状態が悪い）状態であれば、電話が繋がらなくても、止むを得ないと考えている。一方、携帯電話機の使用者は、電界表示レベルが高い（電界状態が良い）状態であれば、電話が繋がらないことが異常であると考えることが多い。
【０００３】
同様に、携帯電話機の使用者は、通信中の電界表示レベルが低い状態で、通信の切断や品質劣化の警告音等が発生することが無線機である以上、止むを得ないと割り切ることができても、電界表示レベルが高い状態で、通信の切断や品質劣化の警告音等が発生することが異常であると考えるので、携帯電話機の使用者にとって違和感やストレスを招く事象となる。
【０００４】
携帯電話機においては、基地局から送出される共通チャネルの受信レベルを、ＲＳＳＩ（Ｒｅｃｅｉｖｅｄ  Ｓｉｇｎａｌ  Ｓｔｒｅｎｇｔｈ  Ｉｎｄｉｃａｔｏｒ）の測定やＲＳＣＰ（Ｒｅｃｅｉｖｅｄ  Ｓｉｇｎａｌ  Ｃｏｄｅ  Ｐｏｗｅｒ）の測定によって求め、これを基準として電界強度をＬＣＤ等の表示装置に表示する方法がある（例えば、特許文献１参照）。
【０００５】
これによって、携帯電話機では使用者に対して電波状況を通知しており、使用者はこの表示装置の表示を確認することで、通信が可能であるか否かの電波環境の良し悪しの判断を行っている。
【０００６】
一方で、携帯電話機においては、通信中に、通信データの誤り率等を用いて、通信品質の劣化を検出し、使用者に警告音等を用いて通信品質の劣化を通知する方法がある（例えば、特許文献２，３参照）。
【０００７】
すなわち、従来の携帯電話機では、図１０に示すように、通信品質劣化検出処理が開始されると（図１０ステップＳ５１）、通信中か否かの判定を行い（図１０ステップＳ５２）、通信中でなければ、品質劣化警報停止処理を行い（図１０ステップＳ５６）、品質劣化による警報を停止して変数Ｑ＿ＡＬＭ＝ＯＦＦとする（変数Ｑ＿ＡＬＭの初期値はＯＦＦとする）。品質劣化による警報はアラーム音であったり、ＬＥＤ（Ｌｉｇｈｔ  Ｅｍｉｔｔｉｎｇ  Ｄｉｏｄｅ）等の表示であったり、ユーザに通信中の品質の劣化を認識させる警報となる。
【０００８】
従来の携帯電話機では、通信中か否かの判定において通信中と判定された場合、ＣＲＣ（Ｃｙｃｌｉｃ  Ｒｅｄｕｎｄａｎｃｙ  Ｃｈｅｃｋ）−ＮＧチェック処理を行い（図１０ステップＳ５３）、受信データの誤りのチェックをＣＲＣ等を用いて判定する。ここでは、単位時間あたりのＣＲＣチェックの結果のＮＧ数を積算し、変数ＣＲＣに格納する（単位時間は任意に設定された時間であり、単位時間毎にＣＲＣ−ＮＧチェック処理が動作する）。
【０００９】
従来の携帯電話機では、変数ＣＲＣと判定閾値ＣＲＣthとの比較を行い（図１０ステップＳ５４）、変数ＣＲＣ（単位時間あたりのＣＲＣ−ＮＧ数）が判定閾値ＣＲＣth未満であれば、通信品質劣化警報停止処理を実施し（図１０ステップＳ５６）、警報中であれば警報を停止し、変数Ｑ＿ＡＬＭ＝ＯＦＦとする。
【００１０】
これに対し、従来の携帯電話機では、変数ＣＲＣが判定閾値ＣＲＣth以上であれば、通信品質劣化警報開始処理を実施し（図１０ステップＳ５５）、警報が停止中の場合であれば警報を開始し、警報動作中であれば警報を継続し、変数Ｑ＿ＡＬＭ＝ＯＮとする。
【００１１】
一方、従来の携帯電話機では、図１１に示すように、電界レベル表示処理を開始すると（図１１ステップＳ６１）、周期的に電界レベルの測定を実施する（図１１ステップＳ６２）。測定周期は任意の値とし、常時測定を継続することも可能である。また、電界レベルの測定については、一般的に、ＲＳＳＩまたはＲＳＣＰを用いており、ここでは測定結果を変数Ｌｅｖｅｌに入力する。
【００１２】
次に、従来の携帯電話機では、変数Ｌｅｖｅｌと電界強度判定閾値Ｌth1  との比較処理を実施し（図１１ステップＳ６３）、変数Ｌｅｖｅｌが電界強度判定閾値Ｌth1  未満の場合、電界レベル表示１の処理を実施する（図１１ステップＳ６４）。ここで、電界レベル表示については、電界が最も良いと判定される場合に電界レベル表示３、ついで電界レベル表示２、最も悪い場合を電界レベル表示１とする。一般に、アンテナの本数をＬＣＤに表示するような場合であれば、電界レベル表示３の場合にはアンテナ３本の表示であり、電界レベル表示１の場合にはアンテナ１本の表示となる。
【００１３】
従来の携帯電話機では、変数Ｌｅｖｅｌが電界強度判定閾値Ｌth1  以上の場合、変数Ｌｅｖｅｌと電界強度判定閾値Ｌth2  との比較処理を実施し（図１１ステップＳ６５）、変数Ｌｅｖｅｌが電界強度判定閾値Ｌth2  以上の場合、電界レベル表示３の処理を実施する（図１１ステップＳ６７）。また、従来の携帯電話機では、変数Ｌｅｖｅｌが電界強度判定閾値Ｌth2  未満の場合、電界レベル表示２の処理を実施する（図１１ステップＳ６６）。
【００１４】
上記の従来の携帯電話機における電界強度の変動と通信中のＣＲＣ−ＮＧ数との変動の関係を図１２に示す。電界強度が図１２に示すように変動した場合には、電界強度判定閾値Ｌth1  及び電界強度判定閾値Ｌth2  によって電界表示が制御されるため、電界強度≧Ｌth2  の場合に「３」、Ｌth2  ＞電界強度≧Ｌth1  の場合に「２」、Ｌth1  ＞電界強度の場合に「１」となっている。
【００１５】
また、ＣＲＣのＮＧ数については、図１２に示すように変動した場合、判定閾値ＣＲＣthとの比較を行い、ＣＲＣのＮＧ数が閾値以上の区間、図１２に示す場合には、時刻Ｔ１から時刻Ｔ２の区間と、時刻Ｔ３から時刻Ｔ４の区間において、品質劣化警告開始処理が実施され、使用者に対して通信品質の劣化を警告する。
【００１６】
しかしながら、図１２に示す例によると、時刻Ｔ１から時刻Ｔ２の区間については品質劣化警告が行われるが、この時の電界表示が「１」であり、品質劣化警報処理と電界表示処と理は使用者から見て自然な動作である。
【００１７】
また、一般的に、電界レベルが劣化した場合には電界状態も劣化しており、通信品質が劣化することは充分に考えられる事象である。しかしながら、時刻Ｔ３から時刻Ｔ４の区間においては、品質劣化警告が行われているが、電界表示が「３」の状態であり、電界状態が良いのに、通信品質が悪いという使用者の使用感覚に違和感を感じさせてしまう。
【００１８】
一般に、電界状態は共通ＣＨ（チャネル）の電界状態にて判定しており、そのエリアの電界強度を測定しているのに対し、通信品質劣化検出は、個別ＣＨの通信データ基地局対１移動機間の音声等のデータの誤り検出により行っているために、個別ＣＨの伝播状態、基地局側の送信電力状態によっては、図１２に示す時刻Ｔ３から時刻Ｔ４のような違和感を感じる事象が発生する可能性がある。
【００１９】
【特許文献１】特開２００２−３７４５７５号公報
【特許文献２】特開平９−２３３０１８号公報
【特許文献３】特開平６−６１９３８号公報
【発明の開示】
【発明が解決しようとする課題】
【００２０】
上述した従来の携帯電話機では、電界表示及び品質劣化によるアラームが、いずれも使用者に対する電波状況についての劣化警告であるにも関わらず、異なる情報を基に制御されているために、使用者に対して違和感を感じさせる場合があるという問題がある。例えば、電界表示は良好にも関わらず、通信中に品質劣化を示すアラームが通知された場合等が考えられる。
【００２１】
そこで、本発明の目的は上記の問題点を解消し、使用者に対する違和感を排除し、電界表示及び品質劣化によるアラームを、互いの機能を損なうことなく実現することができる携帯電話機及びそれに用いる電界表示方法並びにそのプログラムを提供することにある。
【課題を解決するための手段】
【００２２】
本発明による携帯電話機は、通信品質の劣化を検出する通信品質劣化検出処理と、測定された電界レベルを表示する電界レベル表示処理とを行う携帯電話機であって、
前記電界レベル表示処理を行う前に前記通信品質劣化検出処理にて設定される変数の値を判定する判定手段と、その判定結果が品質劣化警報中の時に予め設定された電界レベルを表示する手段とを備えている。
【００２３】
本発明による電界表示方法は、通信品質の劣化を検出する通信品質劣化検出処理と、測定された電界レベルを表示する電界レベル表示処理とを行う携帯電話機の電界表示方法であって、前記携帯電話機側に、前記電界レベル表示処理を行う前に前記通信品質劣化検出処理にて設定される変数の値を判定するステップと、その判定結果が品質劣化警報中の時に予め設定された電界レベルを表示するステップとを備えている。
【００２４】
本発明による電界表示方法のプログラムは、通信品質の劣化を検出する通信品質劣化検出処理と、測定された電界レベルを表示する電界レベル表示処理とを行う携帯電話機の電界表示方法のプログラムであって、コンピュータに、前記携帯電話機側に、前記電界レベル表示処理を行う前に前記通信品質劣化検出処理にて設定される変数の値を判定する処理と、その判定結果が品質劣化警報中の時に予め設定された電界レベルを表示する処理とを実行させている。
【００２５】
すなわち、本発明の携帯電話機は、携帯電話における電界レベルの表示方法に関し、特に通信中の通信品質の劣化検出時の警告と、電界レベルの表示のミスマッチとによる違和感を排除し、双方の機能を損なうことなく実現し、使用者の使用感を向上させることが可能となる。
【００２６】
これによって、本発明の携帯電話機は、従来技術にて携帯電話機の使用者が感じていた違和感を感じさせる動作を、より自然な動作として感じさせるように改善することが可能となる。
【発明の効果】
【００２７】
本発明は、以下に述べるような構成及び動作とすることで、使用者に対する違和感を排除し、電界表示及び品質劣化によるアラームを、互いの機能を損なうことなく実現することができるという効果が得られる。
【発明を実施するための最良の形態】
【００２８】
次に、本発明の実施の形態について図面を参照して説明する。図１は本発明の実施の形態による携帯電話機の構成を示すブロック図である。図１において、携帯電話機１はアンテナ１１と、無線部１２と、ＣＰＵ（中央処理装置）部１３と、電界品質検出部１４と、通信中回線品質劣化検出部ｌ５と、表示部１６と、キー入力部１７と、音声入出力（ＡＵＤＩＯ）部１８と、記録媒体１９とから構成されている。
【００２９】
アンテナ１１及び無線部１２は無線データの送受信処理を行う。電界品質検出部１４は無線部１２で処理された受信データを基に電界品質の検出を行う。この場合、電界品質の検出方法としては、ＲＳＳＩ（Ｒｅｃｅｉｖｅｄ  Ｓｉｇｎａｌ  Ｓｔｒｅｎｇｔｈ  Ｉｎｄｉｃａｔｏｒ）やＲＳＣＰ（Ｒｅｃｅｉｖｅｄ  Ｓｉｇｎａｌ  Ｃｏｄｅ  Ｐｏｗｅｒ）等の受信電界のレベル測定等がある。通信中回線品質劣化検出部ｌ５は通信中の回線の品質劣化を検出する。この場合、回線の品質劣化の検出方法としては、受信データの誤りを検出するＣＲＣ（Ｃｙｃｌｉｃ  Ｒｅｄｕｎｄａｎｃｙ  Ｃｈｅｃｋ）チェック等がある。
【００３０】
ＣＰＵ部１３は記録媒体１９に格納されたプログラム（コンピュータで実行可能なプログラム）を実行することで、携帯電話機１の装置全体の制御を行う。尚、記録媒体１９はＣＰＵ部１３が動作するためのプログラムを格納するメモリＲＯＭ（リードオンリメモリ）及びデータを格納するＲＡＭ（ランダムアクセスメモリ）を含むものとする。
【００３１】
携帯電話機１のＣＰＵ部１３は通信品質劣化検出処理を開始すると、通信中でない場合、品質劣化警報停止処理を行い、品質劣化による警報を停止し、変数Ｑ＿ＡＬＭ＝ＯＦＦとする（変数Ｑ＿ＡＬＭの初期値はＯＦＦとする）。品質劣化による警報はアラーム音であったり、ＬＥＤ（Ｌｉｇｈｔ  Ｅｍｉｔｔｉｎｇ  Ｄｉｏｄｅ）等の表示であったり、ユーザに通信中の品質の劣化を認識させる警報となる。
【００３２】
ＣＰＵ部１３は通信中と判定すると、通信中回線品質劣化検出部ｌ５の検出結果を基に通信中の回線の品質劣化を判定する。ここでは、例えば、単位時間あたりのＣＲＣチェックの結果のＮＧ数を積算し、変数ＣＲＣに格納する（単位時間は任意に設定された時間であり、単位時間毎にＣＲＣ−ＮＧチェック処理が動作する）。
【００３３】
ＣＰＵ部１３はその変数ＣＲＣと判定閾値ＣＲＣthとの比較を行い、変数ＣＲＣ（単位時間あたりのＣＲＣ−ＮＧ数）が判定閾値ＣＲＣth未満の場合、通信品質劣化警報停止処理を実施し、警報中であれば警報を停止し、変数Ｑ＿ＡＬＭ＝ＯＦＦとする。
【００３４】
ＣＰＵ部１３は変数ＣＲＣが判定閾値ＣＲＣth以上の場合、通信品質劣化警報開始処理を実施し、警報が停止中であれば警報を開始し、警報動作中であれば警報を継続し、変数Ｑ＿ＡＬＭ＝ＯＮとする。
【００３５】
一方、ＣＰＵ部１３は電界レベル表示処理を開始すると、電界品質検出部１４にて周期的に電界レベルの測定を実施する。測定周期は任意の値とし、常時測定を継続することも可能である。また、電界レベルの測定については、一般的に、ＲＳＳＩまたはＲＳＣＰを用いており、ここでは測定結果を変数Ｌｅｖｅｌに入力する。
【００３６】
次に、ＣＰＵ部１３は上述した通信品質劣化検出処理にて設定される変数Ｑ＿ＡＬＭの値を判定し、Ｑ＿ＡＬＭ＝ＯＮすなわち品質劣化警報中であれば、電界レベル表示１の処理を実施する。ここで、電界レベル表示については、電界が最も良いと判定される場合に電界レベル表示３、ついで電界レベル表示２、最も悪い場合を電界レベル表示１とする。一般に、アンテナの本数を表示部１６のＬＣＤ（Ｌｉｑｕｉｄ  Ｃｒｙｓｔａｌ  Ｄｉｓｐｌａｙ）等に表示するような場合であれば、電界レベル表示３の場合にアンテナ３本の表示であり、電界レベル表示１の場合にアンテナ１本の表示となる。
【００３７】
ＣＰＵ部１３はＱ＿ＡＬＭ＝ＯＦＦと判定した場合、変数Ｌｅｖｅｌと電界強度判定閾値Ｌth1  との比較処理を実施する。ＣＰＵ部１３は変数Ｌｅｖｅｌが電界強度判定閾値Ｌth1  未満の場合、表示部１６への電界レベル表示１の処理を実施する。
【００３８】
また、ＣＰＵ部１３は変数Ｌｅｖｅｌが電界強度判定閾値Ｌth1  以上の場合、変数Ｌｅｖｅｌと電界強度判定閾値Ｌth2  との比較処理を実施する。ＣＰＵ部１３は変数Ｌｅｖｅｌが電界強度判定閾値Ｌth2  以上の場合、表示部１６への電界レベル表示３の処理を実施する。ＣＰＵ部１３は変数Ｌｅｖｅｌが電界強度判定閾値Ｌth2  未満の場合、表示部１６への電界レベル表示２の処理を実施する。
【００３９】
これによって、本発明の実施の形態では、通信中の通信品質の劣化検出時の警告と、電界レベルの表示のミスマッチとによる違和感を排除し、双方の機能を損なうことなく実現し、使用者の使用感を向上させることができ、従来技術にて携帯電話機の使用者が感じていた違和感を感じさせる動作を、より自然な動作として感じさせるように改善することができる。
【実施例１】
【００４０】
図２は本発明の第１の実施例による携帯電話機の構成を示すブロック図である。図２において、携帯電話機２はアンテナ２１と、無線部２２と、ベースバンド（ＢＡＳＥ−ＢＡＮＤ）部２３と、ＣＰＵ部２４と、レベル測定（ＬＥＶＥＬ−ＭＥＡＳＵＲＥ）部２５と、ＣＲＣ部２６と、表示部２７と、キー入力部２８と、音声入出力（ＡＵＤＩＯ）部２９と、記録媒体３０とから構成されている。
【００４１】
アンテナ２１及び無線部２２は無線データの送受信を行い、ベースバンド部２３は無線部２２に対して送受信するデータの処理を行う。レベル測定部２５はベースバンド部２３で処理された受信データを基にＲＳＳＩ（Ｒｅｃｅｉｖｅｄ  Ｓｉｇｎａｌ  Ｓｔｒｅｎｇｔｈ  Ｉｎｄｉｃａｔｏｒ）やＲＳＣＰ（Ｒｅｃｅｉｖｅｄ  Ｓｉｇｎａｌ  Ｃｏｄｅ  Ｐｏｗｅｒ）等の受信電界のレベル測定を行う。ＣＲＣチェック部２６は受信データの誤りをＣＲＣチェック等によって検出する。
【００４２】
ＣＰＵ部２４は記録媒体３０に格納されたプログラム（コンピュータで実行可能なプログラム）を実行することで、携帯電話機２の装置全体の制御を行う。尚、記録媒体３０はＣＰＵ部２４が動作するためのプログラムを格納するメモリＲＯＭ（リードオンリメモリ）及びデータを格納するＲＡＭ（ランダムアクセスメモリ）を含むものとする。
【００４３】
携帯電話機２のＣＰＵ部２４は通信品質劣化検出処理を開始すると、通信中でない場合、品質劣化警報停止処理を行い、品質劣化による警報を停止し、変数Ｑ＿ＡＬＭ＝ＯＦＦとする（変数Ｑ＿ＡＬＭの初期値はＯＦＦとする）。品質劣化による警報はアラーム音であったり、ＬＥＤ（Ｌｉｇｈｔ  Ｅｍｉｔｔｉｎｇ  Ｄｉｏｄｅ）等の表示であったり、ユーザに通信中の品質の劣化を認識させる警報となる。
【００４４】
ＣＰＵ部２４は通信中と判定すると、受信データの誤りのチェックを、ＣＲＣ等を用いてＣＲＣチェック部２６によるＣＲＣ−ＮＧチェック処理にて判定する。ここでは、単位時間あたりのＣＲＣチェックの結果のＮＧ数を積算し、変数ＣＲＣに格納する（単位時間は任意に設定された時間であり、単位時間毎にＣＲＣ−ＮＧチェック処理が動作する）。
【００４５】
ＣＰＵ部２４はその変数ＣＲＣと判定閾値ＣＲＣthとの比較を行い、変数ＣＲＣ（単位時間あたりのＣＲＣ−ＮＧ数）が判定閾値ＣＲＣth未満の場合、通信品質劣化警報停止処理を実施し、警報中であれば警報を停止し、変数Ｑ＿ＡＬＭ＝ＯＦＦとする。
【００４６】
ＣＰＵ部２４は変数ＣＲＣが判定閾値ＣＲＣth以上の場合、通信品質劣化警報開始処理を実施し、警報が停止中であれば警報を開始し、警報動作中であれば警報を継続し、変数Ｑ＿ＡＬＭ＝ＯＮとする。
【００４７】
一方、ＣＰＵ部２４は電界レベル表示処理を開始すると、レベル測定部２５にて周期的に電界レベルの測定を実施する。測定周期は任意の値とし、常時測定を継続することも可能である。また、電界レベルの測定については、一般的に、ＲＳＳＩまたはＲＳＣＰを用いており、ここでは測定結果を変数Ｌｅｖｅｌに入力する。
【００４８】
次に、ＣＰＵ部２４は上述した通信品質劣化検出処理にて設定される変数Ｑ＿ＡＬＭの値を判定し、Ｑ＿ＡＬＭ＝ＯＮすなわち品質劣化警報中であれば、電界レベル表示１の処理を実施する。ここで、電界レベル表示については、電界が最も良いと判定される場合に電界レベル表示３、ついで電界レベル表示２、最も悪い場合を電界レベル表示１とする。一般に、アンテナの本数を表示部２７のＬＣＤ等に表示するような場合であれば、電界レベル表示３の場合にアンテナ３本の表示であり、電界レベル表示１の場合にアンテナ１本の表示となる。
【００４９】
ＣＰＵ部２４はＱ＿ＡＬＭ＝ＯＦＦと判定した場合、変数Ｌｅｖｅｌと電界強度判定閾値Ｌth1  との比較処理を実施する。ＣＰＵ部２４は変数Ｌｅｖｅｌが電界強度判定閾値Ｌth1  未満の場合、表示部２７への電界レベル表示１の処理を実施する。
【００５０】
また、ＣＰＵ部２４は変数Ｌｅｖｅｌが電界強度判定閾値Ｌth1  以上の場合、変数Ｌｅｖｅｌと電界強度判定閾値Ｌth2  との比較処理を実施する。ＣＰＵ部２４は変数Ｌｅｖｅｌが電界強度判定閾値Ｌth2  以上の場合、表示部２７への電界レベル表示３の処理を実施する。ＣＰＵ部２４は変数Ｌｅｖｅｌが電界強度判定閾値Ｌth2  未満の場合、表示部２７への電界レベル表示２の処理を実施する。
【００５１】
これによって、本発明の実施の形態では、通信中の通信品質の劣化検出時の警告と、電界レベルの表示のミスマッチとによる違和感を排除し、双方の機能を損なうことなく実現し、使用者の使用感を向上させることができ、従来技術にて携帯電話機の使用者が感じていた違和感を感じさせる動作を、より自然な動作として感じさせるように改善することができる。
【００５２】
図３は本発明の第１の実施例による携帯電話機２の通信品質劣化検出処理を示すフローチャートであり、図４は本発明の第１の実施例による携帯電話機２の電界レベル表示処理を示すフローチャートである。これら図２〜図４を参照して本発明の第１の実施例による携帯電話機２の動作について説明する。
【００５３】
携帯電話機２では、通信品質劣化検出処理を開始すると（図３ステップＳ１）、通信中か否かの判定を行い（図３ステップＳ２）、通信中でなければ、品質劣化警報停止処理を行い（図３ステップＳ６）、品質劣化による警報処理を停止し、図示せぬ警報フラグを変数Ｑ＿ＡＬＭ＝ＯＦＦとする（変数Ｑ＿ＡＬＭの初期値はＯＦＦとする）。品質劣化による警報処理はアラーム音の鳴動であったり、図示せぬＬＥＤ等の発光表示であったり、ユーザに通信中の品質の劣化を認識させる警報処理となる。
【００５４】
携帯電話機２では通信中と判定されると、ＣＲＣ−ＮＧチェック処理にて、受信データの誤りのチェックをＣＲＣ等を用いて判定する（図３ステップＳ３）。ここでは、単位時間あたりのＣＲＣチェックの結果のＮＧ数を積算し、変数ＣＲＣに格納する（単位時間は任意に設定された時間であり、単位時間毎にＣＲＣ−ＮＧチェック処理が動作する）。
【００５５】
携帯電話機２では変数ＣＲＣと判定閾値ＣＲＣthとの比較を行い（図３ステップＳ４）、変数ＣＲＣ（単位時間あたりのＣＲＣ−ＮＧ数）が判定閾値ＣＲＣth未満であれば、通信品質劣化警報停止処理を実施し（図３ステップＳ６）、警報中であれば警報処理を停止し、警報フラグを変数Ｑ＿ＡＬＭ＝ＯＦＦとする。
【００５６】
携帯電話機２では変数ＣＲＣが判定閾値ＣＲＣth以上であれば、通信品質劣化警報開始処理を実施し（図３ステップＳ５）、警報処理が停止中であれば警報処理を開始し、警報動作中であれば警報処理を継続し、警報フラグを変数Ｑ＿ＡＬＭ＝ＯＮとする。
【００５７】
一方、携帯電話機２では電界レベル表示処理を開始すると（図４ステップＳ１１）、周期的に電界レベルの測定を実施する（図４ステップＳ１２）。測定周期は任意の値（例えば、１秒）とし、常時測定を継続することも可能である。また、電界レベルの測定については、一般的に、ＲＳＳＩまたはＲＳＣＰを用いており、ここでは測定結果を変数Ｌｅｖｅｌに入力する。
【００５８】
次に、携帯電話機２では上記の通信品質劣化検出処理にて設定される変数Ｑ＿ＡＬＭの値（警報フラグの値）を判定し（図４ステップＳ１３）、Ｑ＿ＡＬＭ＝ＯＮ、すなわち品質劣化警報中であれば、アラーム音の鳴動（あるいはＬＥＤの発光表示）を行った後（図４ステップＳ１４）、ＬＣＤへの電界レベル表示１の処理を実施する（図４ステップＳ１７）。ここで、電界レベル表示については、電界が最も良いと判定される場合に電界レベル表示３、ついで電界レベル表示２、最も悪い場合を電界レベル表示１とする。一般に、アンテナの本数をＬＣＤに表示するような場合であれば、電界レベル表示３の場合にはアンテナ３本の表示であり、電界レベル表示１の場合にはアンテナ１本の表示となる。
【００５９】
携帯電話機２ではＱ＿ＡＬＭ＝ＯＦＦ、すなわち品質劣化警報中でないと判定すると、アラーム音の鳴動（あるいはＬＥＤの発光表示）の停止を行った後（図４ステップＳ１５）、変数Ｌｅｖｅｌと電界強度判定閾値Ｌth1  との比較処理を実施し（図４ステップＳ１６）、変数Ｌｅｖｅｌが電界強度判定閾値Ｌth1  未満の場合、ＬＣＤへの電界レベル表示１の処理を実施する（図４ステップＳ１７）。
【００６０】
携帯電話機２では変数Ｌｅｖｅｌが電界強度判定閾値Ｌth1  以上の場合、変数Ｌｅｖｅｌと電界強度判定閾値Ｌth2  との比較処理を実施し（図４ステップＳ１８）、変数Ｌｅｖｅｌが電界強度判定閾値Ｌth2  以上の場合、ＬＣＤへの電界レベル表示３の処理を実施する（図４ステップＳ２０）。また、携帯電話機２では変数Ｌｅｖｅｌが電界強度判定閾値Ｌth2  未満の場合、ＬＣＤへの電界レベル表示２の処理を実施する（図４ステップＳ１９）。
【００６１】
図５は本発明の第１の実施例による携帯電話機における電界強度の変動と通信中のＣＲＣ−ＮＧ数との変動の関係を示す図である。この図５と従来例の図１２とを参照して本実施例による効果について説明する。
【００６２】
図１２においては電界強度の変動と、通信中のＣＲＣ−ＮＧ数の変動との関係を示している。本実施例では、電界強度が図１２に示すように変動した場合、電界強度判定閾値Ｌth1  及び電界強度判定閾値Ｌth2  によって電界表示が制御されるため、電界強度≧電界強度判定閾値Ｌth2  の場合には電界表示が「３」、電界強度判定閾値Ｌth2  ＞電界強度≧電界強度判定閾値Ｌth1  の場合には電界表示が「２」、電界強度判定閾値Ｌth1  ＞電界強度の場合には電界表示が「１」となっている。
【００６３】
また、ＣＲＣのＮＧ数については、図１２に示すように変動した場合、判定閾値ＣＲＣthとの比較を行い、ＣＲＣのＮＧ数が判定閾値ＣＲＣth閾値以上の区間、図１２に示す例の場合には、時刻Ｔ１から時刻Ｔ２の区間と、時刻Ｔ３から時刻Ｔ４の区間とでは、品質劣化警告開始処理が実施され、使用者に対して通信品質の劣化を警告する。
【００６４】
しかしながら、図１２に示す例の場合には、時刻Ｔ１から時刻Ｔ２の区間について品質劣化警告が行われるが、この時の電界表示は「１」であり、品質劣化警報処理と電界表示処理とは使用者から見て自然な動作である。
【００６５】
また一般的に、電界レベルが劣化した場合には、電界状態も劣化しており、通信品質が劣化することは充分に考えられる事象である。しかしながら、時刻Ｔ３から時刻Ｔ４の区間においては、品質劣化警告が行われているが、電界表示が「３」の状態であり、電界状態が良いのに、通信品質が悪いという使用者の使用感覚に違和感を感じさせてしまう。
【００６６】
一般に、電界状態は共通チャネル（ＣＨ）の電界状態にて判定しており、そのエリアの電界強度を測定しているのに対し、通信品質劣化検出は、個別チャネルの通信データ基地局対１移動機間の音声等のデータの誤り検出によって行っているため、個別チャネルの伝播状態、基地局側の送信電力状態によっては、図１２に示した時刻Ｔ３から時刻Ｔ４のような違和感を感じる事象が発生する可能性がある。
【００６７】
本実施例においては、携帯電話機１が上述した通信品質劣化検出処理及び電界レベル表示処理を行うことで、図１２に示すような電界強度及びＣＲＣ−ＮＧ数の発生が合った場合に、図５に示すような動作となる。図５ではＣＲＣ−ＮＧの検出数による通信品質警告の発生区間が時刻Ｔ１と時刻Ｔ２との間と、時刻Ｔ３と時刻Ｔ４との間とであり、図１２に示すのと同様の動作を行う。
【００６８】
しかしながら、従来動作では時刻Ｔ３と時刻Ｔ４との間については、通信品質劣化警告中にも関わらず、電界表示が「３」であったのに対し、品質劣化警告中は電界表示を「１」とするため、通信劣化警告中に電界表示が「３」になることがなくなる。
【００６９】
これによって、本実施例では、従来技術により携帯電話機のユーザーが感じていた違和感を感じさせる動作をより、自然な動作として感じさせるように改善することが可能となる。
【実施例２】
【００７０】
図６は本発明の第２の実施例による携帯電話機の構成を示すブロック図である。図６において、本発明の第２の実施例による携帯電話機３は自機位置検出部３１を設けた以外は図２に示す本発明の第１の実施例による携帯電話機１と同様の構成となっており、同一構成要素には同一符号を付してある。また、同一構成要素は本発明の第１の実施例と同様の動作となっている。
【００７１】
自機位置検出部３１は図示せぬ基地局からの無線信号を解析し、どの基地局により近いかを判定して自機の位置を検出する。ＣＰＵ部２４は自機位置検出部３１で検出された自機の位置を基に、携帯電話機３の使用者が前回の位置検出時からみて移動しているか否かを判定する。尚、携帯電話機３は自機内にＧＰＳ（Ｇｌｏｂａｌ  Ｐｏｓｉｔｉｏｎｉｎｇ  Ｓｙｓｔｅｍ）（図示せず）を搭載している場合、そのＧＰＳを使用して上記より正確な位置情報をＣＰＵ部２４に通知することができる。
【００７２】
ＣＰＵ部２４は携帯電話機３の使用者が移動していると判定すると、それまでと同様に、常時、所定の間隔（例えば、１秒間隔）で通信品質劣化検出処理と電界レベル表示処理とをそれぞれ独立に実行する。
【００７３】
一方、ＣＰＵ部２４は携帯電話機３の使用者が移動していないと判定すると、電界レベル表示処理をそれまでと同様に、常時、所定の間隔（例えば、１秒間隔）で実行するが、移動していない場合に変動が少ない通信品質劣化検出処理をそれまで以上に間隔を空けて（例えば、１０秒間隔）、実行する。これによって、通信品質劣化検出処理の分だけ省電力化を図ることができる。
【実施例３】
【００７４】
図７は本発明の第３の実施例による携帯電話機の電界レベル表示処理を示すフローチャートである。この図７を参照して本発明の第３の実施例による携帯電話機の電界レベル表示処理について説明する。
【００７５】
携帯電話機は電界レベル表示処理を開始すると（図７ステップＳ２１）、周期的に電界レベルの測定を実施する（図７ステップＳ２２）。測定周期は任意の値（例えば、１秒）とし、常時測定を継続することも可能である。また、電界レベルの測定については、一般的に、ＲＳＳＩまたはＲＳＣＰを用いており、ここでは測定結果を変数Ｌｅｖｅｌに入力する。
【００７６】
次に、携帯電話機では上記の通信品質劣化検出処理にて設定される変数Ｑ＿ＡＬＭの値（警報フラグの値）を判定し（図７ステップＳ２３）、Ｑ＿ＡＬＭ＝ＯＮ、すなわち品質劣化警報中であれば、アラーム音の鳴動（あるいはＬＥＤの発光表示）を行った後（図７ステップＳ２４）、ＬＣＤへの電界レベル表示１の処理を実施する（図７ステップＳ２７）。ここで、電界レベル表示については、上述した通りである。
【００７７】
携帯電話機ではＱ＿ＡＬＭ＝ＯＦＦ、すなわち品質劣化警報中でないと判定すると、変数Ｌｅｖｅｌと電界強度判定閾値Ｌth1  との比較処理を実施し（図７ステップＳ２５）、変数Ｌｅｖｅｌが電界強度判定閾値Ｌth1  未満の場合、ＬＣＤへの電界レベル表示１の処理を実施する（図７ステップＳ２７）。
【００７８】
携帯電話機では変数Ｌｅｖｅｌが電界強度判定閾値Ｌth1  以上の場合、アラーム音の鳴動（あるいはＬＥＤの発光表示）の停止を行った後（図７ステップＳ２６）、変数Ｌｅｖｅｌと電界強度判定閾値Ｌth2  との比較処理を実施し（図７ステップＳ２８）、変数Ｌｅｖｅｌが電界強度判定閾値Ｌth2  以上の場合、ＬＣＤへの電界レベル表示３の処理を実施する（図７ステップＳ３０）。
【００７９】
また、携帯電話機では変数Ｌｅｖｅｌが電界強度判定閾値Ｌth2  未満の場合、ＬＣＤへの電界レベル表示２の処理を実施する（図７ステップＳ２９）。これによって、本実施例では電界レベル表示１の処理が実施される限り、アラーム音の鳴動（あるいはＬＥＤの発光表示）を続行し、電界レベル表示２の処理または電界レベル表示３の処理が実施される際にアラーム音の鳴動（あるいはＬＥＤの発光表示）を停止するので、使用者から見てより自然な動作となる。
【実施例４】
【００８０】
図８は本発明の第４の実施例による携帯電話機の通信品質劣化検出処理を示すフローチャートである。この図８を参照して本発明の第４の実施例による携帯電話機の通信品質劣化検出処理について説明する。
【００８１】
携帯電話機は通信品質劣化検出処理を開始すると（図８ステップＳ３１）、通信中か否かの判定を行い（図８ステップＳ３２）、通信中でなければ、ページングチャネル（ＰＣＨ：Ｐａｇｉｎｇ  Ｃｈａｎｎｅｌ）の品質劣化判定を行い（図８ステップＳ３７）、ページングチャネルの品質が劣化していれば、通信品質劣化警報開始処理を実施し（図８ステップＳ３８）、警報処理が停止中であれば警報処理を開始し、警報動作中であれば警報処理を継続し、図示せぬ警報フラグを変数Ｑ＿ＡＬＭ＝ＯＮとする。品質劣化による警報処理はアラーム音の鳴動であったり、図示せぬＬＥＤ等の発光表示であったり、ユーザに通信中の品質の劣化を認識させる警報処理となる。
【００８２】
携帯電話機はページングチャネルの品質が劣化していなければ、品質劣化警報停止処理を行い（図８ステップＳ３６）、品質劣化による警報処理を停止し、警報フラグを変数Ｑ＿ＡＬＭ＝ＯＦＦとする（変数Ｑ＿ＡＬＭの初期値はＯＦＦとする）。
【００８３】
携帯電話機では通信中と判定されると、ＣＲＣ−ＮＧチェック処理にて、受信データの誤りのチェックをＣＲＣ等を用いて判定する（図８ステップＳ３３）。ここでは、単位時間あたりのＣＲＣチェックの結果のＮＧ数を積算し、変数ＣＲＣに格納する（単位時間は任意に設定された時間であり、単位時間毎にＣＲＣ−ＮＧチェック処理が動作する）。
【００８４】
携帯電話機では変数ＣＲＣと判定閾値ＣＲＣthとの比較を行い（図８ステップＳ３４）、変数ＣＲＣ（単位時間あたりのＣＲＣ−ＮＧ数）が判定閾値ＣＲＣth未満であれば、通信品質劣化警報停止処理を実施し（図８ステップＳ３６）、警報中であれば警報処理を停止し、警報フラグを変数Ｑ＿ＡＬＭ＝ＯＦＦとする。
【００８５】
携帯電話機では変数ＣＲＣが判定閾値ＣＲＣth以上であれば、通信品質劣化警報開始処理を実施し（図８ステップＳ３５）、警報処理が停止中であれば警報処理を開始し、警報動作中であれば警報処理を継続し、警報フラグを変数Ｑ＿ＡＬＭ＝ＯＮとする。
【実施例５】
【００８６】
図９は本発明の第５の実施例による携帯電話機の通信品質劣化検出処理を示すフローチャートである。この図９を参照して本発明の第５の実施例による携帯電話機の通信品質劣化検出処理について説明する。
【００８７】
携帯電話機では、通信品質劣化検出処理を開始すると（図９ステップＳ４１）、通信中か否かの判定を行い（図９ステップＳ４２）、通信中でなければ、品質劣化警報停止処理を行い（図９ステップＳ４７）、品質劣化による警報処理を停止し、図示せぬ警報フラグを変数Ｑ＿ＡＬＭ＝ＯＦＦとする（変数Ｑ＿ＡＬＭの初期値はＯＦＦとする）。品質劣化による警報処理はアラーム音の鳴動であったり、図示せぬＬＥＤ等の発光表示であったり、ユーザに通信中の品質の劣化を認識させる警報処理となる。
【００８８】
携帯電話機では通信中と判定されると、ＣＲＣ−ＮＧチェック処理にて、受信データの誤りのチェックをＣＲＣ等を用いて判定する（図９ステップＳ４３）。ここでは、単位時間あたりのＣＲＣチェックの結果のＮＧ数を積算し、変数ＣＲＣに格納する（単位時間は任意に設定された時間であり、単位時間毎にＣＲＣ−ＮＧチェック処理が動作する）。
【００８９】
携帯電話機では変数ＣＲＣと判定閾値ＣＲＣthとの比較を行い（図９ステップＳ４４）、変数ＣＲＣ（単位時間あたりのＣＲＣ−ＮＧ数）が判定閾値ＣＲＣth未満であれば、通信品質劣化警報停止処理を実施し（図９ステップＳ４７）、警報中であれば警報処理を停止し、警報フラグを変数Ｑ＿ＡＬＭ＝ＯＦＦとする。
【００９０】
携帯電話機では変数ＣＲＣが判定閾値ＣＲＣth以上であれば、電界レベル表示３の処理が行われているかを判定し（図９ステップＳ４５）、電界レベル表示３の処理が行われていれば、品質劣化警報停止処理を行い（図９ステップＳ４７）、品質劣化による警報処理を停止し、図示せぬ警報フラグを変数Ｑ＿ＡＬＭ＝ＯＦＦとする（変数Ｑ＿ＡＬＭの初期値はＯＦＦとする）。
【００９１】
また、携帯電話機では、電界レベル表示３の処理が行われていなければ、通信品質劣化警報開始処理を実施し（図９ステップＳ４６）、警報処理が停止中であれば警報処理を開始し、警報動作中であれば警報処理を継続し、警報フラグを変数Ｑ＿ＡＬＭ＝ＯＮとする。
【図面の簡単な説明】
【００９２】
【図１】本発明の実施の形態による携帯電話機の構成を示すブロック図である。
【図２】本発明の第１の実施例による携帯電話機の構成を示すブロック図である。
【図３】本発明の第１の実施例による携帯電話機の通信品質劣化検出処理を示すフローチャートである。
【図４】本発明の第１の実施例による携帯電話機の電界レベル表示処理を示すフローチャートである。
【図５】本発明の第１の実施例による携帯電話機における電界強度の変動と通信中のＣＲＣ−ＮＧ数との変動の関係を示す図である。
【図６】本発明の第２の実施例による携帯電話機の構成を示すブロック図である。
【図７】本発明の第３の実施例による携帯電話機の電界レベル表示処理を示すフローチャートである。
【図８】本発明の第４の実施例による携帯電話機の通信品質劣化検出処理を示すフローチャートである。
【図９】本発明の第５の実施例による携帯電話機の通信品質劣化検出処理を示すフローチャートである。
【図１０】従来例による携帯電話機の通信品質劣化検出処理を示すフローチャートである。
【図１１】従来例による携帯電話機の電界レベル表示処理を示すフローチャートである。
【図１２】従来例による携帯電話機における電界強度の変動と通信中のＣＲＣ−ＮＧ数との変動の関係を示す図である。
【符号の説明】
【００９３】
１〜３  携帯電話機
１１，２１  アンテナ
１２，２２  無線部
１３，２４  ＣＰＵ部
１４  電界品質検出部
１５  通信中回線品質劣化検出部
１６，２７  表示部
１７，２８  キー入力部
１８，２９  音声入出力部
１９，３０  記録媒体
２３  ベースバンド部
２５  レベル測定部
２６  ＣＲＣチェック部
【図１】
2005086586.tif 000003
【図２】
2005086586.tif 000004
【図３】
2005086586.tif 000005
【図４】
2005086586.tif 000006
【図５】
2005086586.tif 000007
【図６】
2005086586.tif 000008
【図７】
2005086586.tif 000009
【図８】
2005086586.tif 000010
【図９】
2005086586.tif 000011
【図１０】
2005086586.tif 000012
【図１１】
2005086586.tif 000013
【図１２】
2005086586.tif 000014